(57)【要約】      （修正有）【課題】車両走行路の縁部に立設配備される壁面に取り付けられる防音パネルにおいて、降雨による雨水を果的に排出するパネルを提供する。【解決手段】車両走行路の縁部に立設された壁面に取り付けられる防音パネルにおいて、壁面の車両走行路側に取り付けられ、その壁面に沿って横方向へ延長される断面溝型の上側係合部品１１及び下側係合部品１２と、吸音材が内部に収容されてなり、上端が上側係合部品１１へ、下端が下側係合部品１２へ、それぞれ嵌合される吸音体２１とを備え、下側係合部品１２は、その嵌合される吸音体２１を係止するための係止部４４と、係止部４４の下方に開口し、延長方向の両端まで連通されてその排出口が外部に露出してなる排水路４５とを有する。【選択図】図５
2013204345.tif 000002
【特許請求の範囲】
【請求項１】
車両走行路の縁部に立設された壁面に取り付けられる防音パネルにおいて、
上記壁面の車両走行路側に取り付けられ、その壁面に沿って横方向へ延長される断面溝型の上側係合部品及び下側係合部品と、
吸音材を内部に収容させ、正面側に多数の小孔を形成させたパネルケースを有し、上端を上記上側係合部品へ嵌合させ、下端を上記下側係合部品へ嵌合させてなる吸音体とを備え、
上記下側係合部品は、その嵌合される上記吸音体を係止するための係止部と、上記係止部の下方に開口し、上記延長方向の両端まで連通されてその排出口が外部に露出してなる排水路とを有すること
を特徴とする防音パネル。
【請求項２】
上記係止部は、上記下側係合部品を構成する溝型の壁面側並びに車両走行路側から上記排水路の開口に向けて折り曲げられ、又は当該開口に向けて突設されてなる突設片であること
を特徴とする請求項１記載の防音パネル。
【請求項３】
上記係止部は、上記排水路に向けて下側に傾斜していること
を特徴とする請求項１又は２記載の防音パネル。
【請求項４】
上記排水路は、その底部に開口した底部排水孔を更に有すること
を特徴とする請求項１〜３のうち何れか１項記載の防音パネル。
【請求項５】
上記吸音体は、各々一の上側係合部品及び下側係合部品の間に上記延長方向に複数連設されていること
を特徴とする請求項１〜４のうち何れか１項記載の防音パネル。
【請求項６】
車両走行路の縁部に立設された壁面の車両走行路側に請求項１〜５のうち何れか１項記載の防音パネルを取り付ける防音パネル取付構造であって、
上記吸音体を長手方向が上下になるように縦長で構成することにより、上記防音パネルを上下方向に連ねることなく配置すること
を特徴とする防音パネル取付構造。
【発明の詳細な説明】
【技術分野】
【０００１】
本発明は、道路、鉄道等の車両走行路の縁部に立設配備される壁面に取り付けられる防音パネル、並びにこれを壁面に取り付けた防音パネル取付構造に関するものである。
【背景技術】
【０００２】
高速道路や鉄道等の車両走行路においては車両の走行に伴って大きな騒音が発生し、道路周辺の環境を損なう。このため、車両の走行に伴って発生する騒音などが外部に漏れるのを防止するために、車両走行路の延長方向に沿ってコンクリートや樹脂等からなる壁体が設けられる。このような壁体が車両走行路の両側に立設されていることのみで、車両から発生する騒音が壁体を透過することをある程度防ぐことができ、外部への遮音性を僅かに向上させることは可能となる。
【０００３】
しかしながら、このような車両走行路の外部に民家等が存在する場合には、より高い防音性能が求められることから、単なる壁体を車両走行路の縁部に立設させるのみでは足りず、この壁体に対して更に吸音性能を備える防音パネルを取り付けることが一般的に行われている。
【０００４】
壁体に対してこの防音パネルを取り付ける際には、例えば壁体における車両走行路面側において予めアンカーボルトを埋設しておき、防音パネルの両端に断面Ｌ字型の取付金具を設けておき、アンカーボルトに取付金具中のボルト孔を挿通させてこれを螺着することにより固定する方法が提案されている（例えば、特許文献１参照。）。この特許文献１の開示技術では、防音パネルにつき、壁面に沿って横方向へ延長される横長で構成しており、内部に吸音材を充填し、車両走行路に対面する正面板については、パンチング孔が多数設けられている。その結果、車両からの騒音は、このパンチング孔を介して防音パネル内に入り、吸音材によって吸音される。この防音パネルの背面は、背後に壁面が存在するため、特に背面板は必要とならない。このため、内部の吸音材は、主として上下から嵌合される横枠を介して保持されることとなる。ちなみに、この特許文献１に示される例では、防音パネルが壁体に対して左右方向のみならず上下方向に向けて連続して配置されている。
【０００５】
また、特許文献２には、同じく壁面に横長の防音パネルを取り付ける技術が開示されている。この特許文献２の開示技術によれば、不織布で包み込んだ吸音材を内部に充填し、上下から横枠を嵌め込み、正面板には打ち抜き孔を多数形成させ、背面板は特に必要としない構成とした防音パネルを壁面に取り付けるものである。実際にこの防音パネルを取り付ける際には、例えば壁体における車両走行路面側において予めアンカーボルトを埋設しておく。また防音パネルには、プレートを曲げ加工した取り付け部を設け、これをアンカーボルトに接続することにより、当該防音パネルを壁面に固定する。
【先行技術文献】
【特許文献】
【０００６】
【特許文献１】特開２００６−２８３２９７号公報
【特許文献２】特開２００４−２１１３３６号公報
【発明の概要】
【発明が解決しようとする課題】
【０００７】
特許文献１、２に示される防音パネルは、上述したように、その背面に壁面が存在するため、特に背面板の構成を省略することで材料コストの低減を図る場合が多く、その結果、吸音材が背面から露出する構成となっている。また防音パネルは、上述したように正面板に多数の打ち抜き孔を形成させることにより車両からの騒音がパネル内部へ通過するように構成している。
【０００８】
しかしながら、図１０に示すように、このような多数の打ち抜き孔を正面板７１に多数形成し、また背面板を省略して吸音材７２を背面から露出させた防音パネル７では、降雨により、打ち抜き孔を介して正面板からパネル内部に雨水が浸入してしまい、また背面側からは直接的に雨水が浸入してしまうこととなる。仮にパネル内部に雨水が浸入してしまった場合、吸音材が雨水にさらされてしまう。またパネル内に雨水が大量に浸入した場合には、図１０に示すように、吸音材７２を下側から固定するための横枠７３の底部に水が溜まってしまう。
【０００９】
実際にこの横枠７３の底部に溜まった水は、横枠７３の所定位置に設けられた排水孔から排水させることにより排水することは可能である。しかしながら、吸音材７２に対して横枠７３がほぼ隙間無く嵌合されていることから、溜まった水を排水孔へ誘導する上でこの吸音材７２そのものが却って障壁となってしまい、効果的な排水を行うことが困難となっていた。
【００１０】
また、この横枠７３の底部に溜まった水を時間をかけて蒸発させたりして抜いていく方法もあるが、実際に水が蒸発するまでに相当の日数を要する場合もあり、短時間で効果的な排水を実現することができなかった。
【００１１】
また、横枠７３において水が溜まったままの状態を放置しておけば、金属製の横枠７３が溜まった水に基づいて腐食してしまうという問題点も生じる。このため、横枠７３に溜まった水を抜くことは、この防音パネル構造を長期間に亘り長持ちさせる上で不可欠ではあったが、より短時間で効果的に実現できる方法は従来において提案されていなかった。
【００１２】
そこで、本発明は、上述した問題点に鑑みて案出されたものであり、その目的とするところは、車両走行路の縁部に立設配備される壁面に取り付けられる防音パネルにおいて、特に降雨による雨水がパネル内部に浸入してもこれを内部で溜めることなく、効果的に排出することが可能な防音パネル、並びにこれを壁面に取り付けた防音パネル取付構造を提供することにある。
【課題を解決するための手段】
【００１３】
第１の発明は、上述した課題を解決するために、車両走行路の縁部に立設された壁面に取り付けられる防音パネルにおいて、上記壁面の車両走行路側に取り付けられ、その壁面に沿って横方向へ延長される断面溝型の上側係合部品及び下側係合部品と、吸音材を内部に収容させ、正面側に多数の小孔を形成させたパネルケースを有し、上端を上記上側係合部品へ嵌合させ、下端を上記下側係合部品へ嵌合させてなる吸音体とを備え、上記下側係合部品は、その嵌合される上記吸音体を係止するための係止部と、上記係止部の下方に開口し、上記延長方向の両端まで連通されてその排出口が外部に露出してなる排水路とを有することを特徴とする。
【００１４】
第２の発明は、第１の発明において、上記係止部は、上記下側係合部品を構成する溝型の壁面側並びに車両走行路側から上記排水路の開口に向けて折り曲げられ、又は当該開口に向けて突設されてなる突設片であることを特徴とする防音パネル。
【００１５】
第３の発明は、第１又は第２の発明において、上記係止部は、上記排水路に向けて下側に傾斜していることを特徴とする。
【００１６】
第４の発明は、第１〜第３のうち何れか１の発明において、上記排水路は、その底部に開口した底部排水孔を更に有することを特徴とする。
【００１７】
第５の発明は、第１〜第４のうち何れか１の発明において、上記吸音体は、各々一の上側係合部品及び下側係合部品の間に上記延長方向に複数連設されていることを特徴とする。
【００１８】
第６の発明は、車両走行路の縁部に立設された壁面の車両走行路側に第１〜第５のうち何れか１の発明に係る防音パネルを取り付ける防音パネル取付構造であって、上記吸音体を長手方向が上下になるように縦長で構成することにより、上記防音パネルを上下方向に連ねることなく配置することを特徴とする。
【発明の効果】
【００１９】
降雨の際には、雨水が正面板の小孔を介して、及び背面側から直接入り込む。その結果、雨水は、吸音体により吸収され、吸音体内部を自重により落下していくことになる。そして、雨水が吸音体の下端まで到達した後、雨水は排水路へと流下していくことになる。特に本発明は、この排水路が下側に凸状に膨出されてなるとともに、吸音体はその上方において係止部を介して係止されていることから、排水路内において雨水を蓄積する上で十分な空間を確保することが可能となる。
【００２０】
この排水路内まで流下した雨水は、排水路を通って、排水路の両端にある排出口を介して外部へと排出されることとなる。
【００２１】
このとき、係止部を排水路へ向けて下側に傾斜させて構成することにより、吸音体からの雨水を排水路へ向けて勢いよく流下させることが可能となり、また排水路の断面積を大きく確保することも可能となる。
【００２２】
このように本発明によれば、車両走行路の縁部に立設配備される壁面に取り付けられる防音パネルにおいて、特に降雨による雨水がパネル内部に浸入してもこれを内部で溜めることなく、効果的に排出することが可能となる。
【図面の簡単な説明】
【００２３】
【図１】本発明を適用した防音パネルが配設される壁体の斜視図である。
【図２】本発明を適用した防音パネルの組立構成図である。
【図３】（ａ）は、本発明を適用した防音パネルの組立正面図であり、（ｂ）はその組立側面図である。
【図４】本発明を適用した防音パネルの背面図である。
【図５】（ａ）は、防音パネルにおける上端近傍の拡大断面図であり、（ｂ）は、防音パネルにおける下端近傍の拡大断面図である。
【図６】本発明を適用した防音パネルの壁体に対する取付構造について説明するための図である。
【図７】（ａ）は、この取付金具の側面図であり、（ｂ）は、この取付金具の底面図であり、（ｃ）は、この取付金具の正面図である。
【図８】本発明を適用した防音パネルの作用効果について説明するための図である。
【図９】下側係合部品における他の形状の例を示す図である。
【図１０】従来における防音パネルの構成例を示す図である。
【発明を実施するための形態】
【００２４】
以下、本発明の実施の形態としての防音パネルについて図面を参照しながら詳細に説明する。
【００２５】
本発明を適用した防音パネルは、例えば図１に示すように、道路、鉄道等の車両走行路１０の縁部に立設配備される壁体３に配設されるものである。特にこの防音パネル１は、かかる壁体３における車両走行路１０側の壁面３ａに取り付けられるものであり、上側係合部品１１及び下側係合部品１２と、これら上側係合部品１１及び下側係合部品１２より上下から嵌合される吸音体２１とを備えている。
【００２６】
図２は、防音パネル１の組立構成図であり、図３（ａ）は、その組立正面図を、図３（ｂ）はその組立側面図を示している。また図４は、防音パネル１の背面図を示している。また図５（ａ）は、防音パネル１における上端近傍の拡大断面図、図５（ｂ）は、防音パネル１における下端近傍の拡大断面図を示している。
【００２７】
吸音体２１は、図２に示すように金属製のパネルケース２５と、このパネルケース２５によって被包される吸音材２６とを有している。
【００２８】
パネルケース２５は、正面板２５ａと、この正面板２５ａから略直交方向に折り曲げられた側面板２５ｂと、この側面板２５ｂに対して略直交方向となるように、かつ正面板２５ａに対して平行方向に折り曲げられたリップ面２５ｃとを有している。正面板２５ａは、配設時において車両走行路１０側に対面するものであり、リップ面２５ｃは、配設時において壁体３に対面するものである。
【００２９】
ちなみに、正面板２５ａと相対する背面側には、リップ面２５ｃが形成されているのみであり、いわゆる背面板を背面側全面に設けていない。その理由として、この背面側は、上述の壁体３に対面するものであることから、特に背面側全面に亘って金属板を設けなくても遮音性の観点からは特段の問題が生じるものではなく、また材料コストの低減を図る観点からも背面側全面に亘って金属板を設けないほうが望ましいためである。
【００３０】
正面板２５ａには、多数の小孔３０が規則的に配列させて形成されている。この小孔３０を介して車両走行路１０からの騒音が正面板２５ａを通過可能となる。また正面板２５ａ並びにリップ面２５ｃの上端には、所定間隔をおいてボルトやリベットが締結可能な締結用の孔２８が設けられ、また正面板２５ａ並びにリップ面２５ｃの下端には、所定間隔をおいて孔２９が設けられている。  リップ面２５ｃは、側面板２５ｂの端部から内側に向けて突設されてなる。このリップ面２５ｃを介して、吸音材２６が拡散することなく保持することが可能となる。
【００３１】
吸音材２６は、例えば、ロックウールやグラスウール、その他多孔質材等で構成されてなり、必要に応じてこれらを微細な孔が開けられた不織布等で包んでまとめたもので構成してもよい。
【００３２】
ちなみにこのパネルケース２５は、正面板２５ａ、側面板２５ｂ、リップ面２５ｃを全て一体的に成形したもので構成されていてもよい。また正面板２５ａと、側面板２５ｂ並びにリップ面２５ｃを互いに独立して作製し、これらを互いに接合して形成するようにしてもよい。このとき側面板２５ｂ並びにリップ面２５ｃからなる部材は、例えば断面溝形で構成されていてもよい。
【００３３】
上側係合部品１１は、上側固定板３１と、上側固定板３１の上端から連続し、上側固定板３１に対して略直交方向に折り曲げられた上側頂面板３２と、上側頂面板３２の端部から略直交方向に折り曲げられ、かつ上側固定板３１と略平行となるように延長された上側係止板３３とを備えている。この上側固定板３１が車両走行路側に、また上側係止板３３が、壁面側に位置するように設けられることとなる。
【００３４】
この上側固定板３１〜上側係止板３３により、断面略鉤状を形成するように構成され、側面視で略コ字を描くように溝型に折り曲げられることとなる。因みに、上述した例では、上側係合部品１１を構成する各面３１〜３３が互いに略直交方向に折り曲げられることを前提としているが、これに限定されるものではなく、上側頂面板３２を、図５（ａ）に示すように中央に向けてやや上向きに傾斜させて構成するようにしてもよい。これにより、降雨による雨水が上側頂面板３２に溜まることなく滑らかに外側へ流すことが可能となる。この上側頂面板３２には、ボルトの頭部を嵌合することが可能なボルト溝３９を形成させておいてもよい。このとき、上側係合部品１１には、ボルト溝３９に溜まった水を外部へ排出するための上枠排水孔３６を設けるようにしてもよい。なお、この上側固定板３１及び上側係止板３３には、所定間隔をおいて孔３７が設けられている。この孔３７を通じてリベット５１、５５が挿通可能となる。
【００３５】
このような構成からなる上側係合部品１１を、吸音体２１の上端に嵌合させることにより、上側固定板３１並びに上側係止板３３との間に吸音体２１の上端が狭持されて、安定した状態で吸音体２１に取り付けられることとなる。
【００３６】
下側係合部品１２は、図５（ｂ）に示すように、下側固定板４１と、下側固定板４１の下端から連続し、下側固定板４１に対して略直交方向に折り曲げられた下側底面板４２と、下側底面板４２の端部から略直交方向に折り曲げられ、かつ下側固定板４１と略平行となるように延長された下側係止板４３とを備えている。この下側固定板４１〜下側係止板４３により、断面略鉤状を形成するように構成され、側面視で略コ字を描くように溝型に折り曲げられることとなる。この下側固定板４１が車両走行路側に、また下側係止板４３が、壁面側に位置するように設けられることとなる。なお、この下側係止板４３及び下側固定板４１には、所定間隔をおいて孔４７が設けられている。この孔４７を通じてリベット５２、５５が挿通可能となる。この下側底面板４２には、ボルトの頭部を嵌合することが可能なボルト溝４９を形成させておいてもよい。
【００３７】
また、この下側係合部品１２は、嵌合される吸音体２１を係止するための係止部４４と、係止部４４の下方に開口した排水路４５とを上述した下側底面板４２に形成させている。係止部４４は、嵌合される吸音体２１の重力を下側から支持することにより、これを所定高さで係止できるものであればいかなる形状で構成されていてもよい。この係止部４４の具体的な形状としては、例えば図５（ｂ）に示すように下側固定板４１並びに下側係止板４３の両側から排水路４５の開口側に向けて折り曲げられて構成されていてもよい。また、係止部４４は、排水路４５の開口側に向けて突設されてなる突設片で構成するようにしてもよい。
【００３８】
また、この係止部４４は図５（ｂ）に示すように、排水路４５に向けて下側に傾斜させるようにしてもよい。これにより、防音パネル１内に入り込んだ雨水を排水路４５へとスムーズに流し込むことが可能となる。
【００３９】
排水路４５は、この係止部４４よりも下側に形成されてなり、嵌合されてくる吸音体２１に向けて上側に開口されているものであればいかなる構成とされていてもよい。即ち、係止部４４よりも下側に向けて凸状に膨出されてなる。この排水路４５は断面コ字状に折り曲げられた溝で構成されており、流下してきた雨水を溜めてこれを流すことが可能な形状とされている。上述したように、係止部４４により吸音体２１が下方から支持されていることから、この吸音体２１と、この下側に向けて凸状に膨出された下側底面板４２との間には、ちょうど水が流れるのに適したトンネル上の流路が自然に形成され、これが排水路４５として機能することとなる。
【００４０】
また上側係合部品１１、下側係合部品１２ともに図３に示す正面形態は、壁体３の延長方向Ａに向けて、その壁面に沿って横方向へ延長される。また、下側係合部品１２における排水路４５も同様に延長方向Ａに向けて延長され、当該下側係合部品１の両端に至るまでそのまま延長されることとなる。その結果、図３（ｂ）の側面図に示すように、防音パネル１の両側端には、排水路４５が直接外部に現れて露出することとなる。つまり、この排水路４５の両側端は、この外部に直接露出した排出口４５ａとして現れ、排水路４５内に溜まった雨水は、排出口４５ａを通じて外部へと直接排出することが可能となる。
【００４１】
ちなみに、上側係合部品１１及び下側係合部品１２により、吸音体２１を嵌合する際には、図２に示すように、吸音体２１の上端に上側係合部品１１を嵌合させ、吸音体２１の下端に下側係合部品１２を嵌合させる。そして、上側係合部品１１における上側固定板３１側の孔３７と、吸音体２１の孔２８とを合わせ込んでリベット５１を締結し、下側係合部品１２における下側固定板４１側の孔４７と、吸音体２１の孔２９とを合わせ込んでリベット５２を締結する。
【００４２】
同様に図２に示すように、上側係合部品１１における上側係止板３３側の孔３７と、吸音体２１の孔２８とを合わせ込んでリベット５５を締結し、下側係合部品１２における下下側係止板４３側の孔４７と、吸音体２１の孔２９とを合わせ込んでリベット５５を締結する。
【００４３】
このとき、一の上側係合部品１１及び下側係合部品１２に対して、一の吸音体２１を嵌合させて一の防音パネル１を構成する場合に限定されるものではない。例えば図３に示すように、一の上側係合部品１１及び下側係合部品１２に対して、複数の吸音体２１を嵌合させて一の防音パネル１を構成するようにしてもよい。
【００４４】
また、図４に示すように、各防音パネル１は、個々の吸音体２１における吸音材２６が背面から飛び出てしまうのを防止し、安定した状態で保持するために、フレーム帯板５３を設けるようにしてもよい。このフレーム帯板５３は、パネルケース２５におけるリップ面２５ｃ間に架設されて取り付けられるものであり、その取付方法は、例えばリベット５５を介して取り付けられていてもよい。
【００４５】
次に、上述した構成からなる防音パネル１の壁体３に対する取付構造について説明をする。
【００４６】
図６に示すように、防音パネル１は、上下端にそれぞれ取り付けられた取付金具６２を介して壁体３へ取り付けられる。図７は、この取付金具６２の詳細な構成を示しており、図７（ａ）は、この取付金具６２の側面図であり、図７（ｂ）は、この取付金具６２の底面図であり、図７（ｃ）は、この取付金具６２の正面図である。
【００４７】
取付金具６２は、壁面当接板６６と、この壁面当接板６６に対して略直交方向に折り曲げられたパネル添接板６７とを備えた断面Ｌ字状の金属製で構成されており、パネル添接板６７には貫通穴６８が複数個所に亘り開削されている。また、壁面当接板６６には、図７（ａ）で紙面奥行き方向に、また図７（ｃ）で横方向に向けて、長軸方向となるようにした長孔７０が開削されている。
【００４８】
このような取付金具６２を用いて防音パネル１を壁体３へ取り付ける際には、先ず、上側係合部品１１におけるボルト溝３９、並びに下側係合部品１２におけるボルト溝４９にそれぞれボルト６３を嵌合させる。このボルト６３を嵌合させる際には、ボルトの頭部をそれぞれボルト溝３９、ボルト溝４９に嵌合させ、ボルト６３の足を取付金具６２におけるパネル添接板６７の貫通穴６８に挿通させる。その結果、ボルト６３の足がパネル添接板６７から突出され、このボルト６３に足にナット６９を螺着することにより固定する。このようにして、防音パネル１の上下端にそれぞれ取付金具６２が取り付けられることとなる。
【００４９】
次に、壁面当接板６６は、壁体３における壁面に当接され、壁面当接板６６における長孔７０にアンカーボルト６１が挿通されて壁体３中に打設して固定されることとなる。これにより、防音パネル１は壁体３に対して取り付けられることとなる。
【００５０】
なおボルト溝３９、ボルト溝４９に、ボルト６３の頭部を僅かに遊嵌させておくことで、ボルト溝３９、ボルト溝４９をレールにして、図６で紙面奥行方向に向けて防音パネル１の位置をシフトさせることが可能となる。また取付金具６２は、長孔７０をレールにしてアンカーボルト６１に対して位置を微修正することも可能となる。
【００５１】
上述した構成からなる本発明によれば、車両走行路１０からの騒音は、小孔３０を介して正面板２５ａを通過し、内部の吸音材２６により吸収される。その結果、この防音パネル１による消音効果と壁体３の存在により、車両走行路１０からの騒音が外部に漏れるのを強力に防止することができる。
【００５２】
また、防音パネル１は、正面板２５ａに多数の小孔３０が設けられており、また背面側には特段背面板が設けられているわけではない。このため、降雨の際には、図８に示すように、雨水が正面板２５ａの小孔３０を介して、及び背面側から直接入り込む。その結果、雨水は、吸音体２１により吸収され、吸音体２１内部を自重により矢印方向に落下していくことになる。そして、雨水が吸音体２１の下端まで到達した後、雨水は排水路４５へと流下していくことになる。特に本発明は、この排水路４５が下側に凸状に膨出されてなるとともに、吸音体２１はその上方において係止部４４を介して係止されていることから、排水路４５内において雨水を蓄積する上で十分な空間を確保することが可能となる。
【００５３】
この排水路４５内まで流下した雨水は、排水路４５を通って、排水路４５の両端にある排出口４５ａを介して外部へと排出されることとなる。
【００５４】
このとき、係止部４４を排水路４５へ向けて下側に傾斜させて構成することにより、吸音体２１からの雨水を排水路４５へ向けて勢いよく流下させることが可能となり、また排水路４５の断面積を大きく確保することも可能となる。
【００５５】
このように本発明によれば、車両走行路の縁部に立設配備される壁面に取り付けられる防音パネルにおいて、特に降雨による雨水がパネル内部に浸入してもこれを内部で溜めることなく、効果的に排出することが可能となる。
【００５６】
また、排水路４５の内部に蓄積した雨水を排出するために、例えば図５（ｂ）に示すような底部排水孔１０１を所定箇所に設けるようにしてもよい。これにより、底部排水孔１０１から雨水を排出させ、更に排水路４５中の雨水をその延長方向Ａの両端まで流して排出させることが可能となり、排水路４５中において水が溜まってしまうのをより効果的に防止することが可能となる。
【００５７】
なお、本発明を適用した防音パネル１はあくまで壁面の上下方向に複数段に亘り配置することを前提とした技術ではない。仮に防音パネル１を上下方向に複数段で配置した場合には、上段に配置された防音パネル１からの排出した雨水が下段に配置された防音パネル１で受けることとなってしまうためである。また、排水路４５に底部排水孔１０１を設ける場合には、この底部排水孔１０１から排出する雨水が、下段に配設された防音パネル１が障壁となって効果的に排出させることが困難となるためである。このため、本発明では、壁面の上下方向に複数段に亘り配置しない代わりに、個々の吸音体２１について長手方向が上下になるように縦長で構成する。このときの比率をより上下方向が長くなるように構成することで、防音パネル１を上下に連ねることなく一段で構成することが可能となる。
【００５８】
また、図９（ａ）〜（ｃ）は、下側係合部品１２における他の形状の例を示している。図９（ａ）は、係止部４４について、下側係止板４３から排水路４５の開口に向けて折り曲げて下側に向けて傾斜させて構成し、また下側固定板４１から当該開口に向けて突設されてなる突設片で構成したものである。係止部４４をこのような突設片で構成することにより、その突設片の下側も排水路４５で構成することができ、結果として排水路４５の断面積を大きくすることが可能となる。
【００５９】
また図９（ｂ）の例では、この突設片としての係止部４４についても、下側に向けて傾斜させて構成した以外は、図９（ａ）と同様である。この例では、突設片としての係止部４４を下側に傾斜させていることにより、雨水をより効果的に排水路４５に向けて流下させることが可能となる。
【００６０】
また図９（ｃ）の例では、排水路４５を２つに分離して構成し、係止部４４としては、下側固定板４１、下側係止板４３から僅かに突設させた突設片４４ａと、この排水路４５の間に設けられ、突設片と略同一高さまで隆起させた隆起部４４ｂとにより構成したものである。この隆起部４４ｂの下側がボルト６３の頭部を嵌合させるためのボルト溝４９となっているが、この図９（ｃ）の例では、かかるボルト溝を略中央に位置させることも可能となる。
【符号の説明】
【００６１】
１  防音パネル
３  壁体
１０  車両走行路
１１  上側係合部品
１２  下側係合部品
２１  吸音体
２５  パネルケース
２６  吸音材
２８、２９、３７、４７  孔
３０  小孔
３１  上側固定板
３２  上側頂面板
３３  上側係止板
３６  上枠排水孔
３９  ボルト溝
４１  下側固定板
４２  下側底面板
４３  下側係止板
４４  係止部
４５  排水路
４９  ボルト溝
５１、５２、５５  リベット
５３  フレーム帯板
６１  アンカーボルト
６２  取付金具
６３  ボルト
６６  壁面当接板
６７  パネル添接板
６８  貫通穴
６９  ナット
【図１】
2013204345.tif 000003
【図２】
2013204345.tif 000004
【図３】
2013204345.tif 000005
【図４】
2013204345.tif 000006
【図５】
2013204345.tif 000007
【図６】
2013204345.tif 000008
【図７】
2013204345.tif 000009
【図８】
2013204345.tif 000010
【図９】
2013204345.tif 000011
【図１０】
2013204345.tif 000012